【手続補正書】
【提出日】平成17年8月26日(2005.8.26)
【手続補正１】
【補正対象書類名】特許請求の範囲
【補正対象項目名】全文
【補正方法】変更
【補正の内容】
【特許請求の範囲】
【請求項１】
縦軸を有する縫合糸上に、切ってあごを作る方法において、
ｘ−ｙ−ｚ軸を有する縫合糸を提供するステップ；
切断刃を提供するステップ；
切断の前にｙ−軸に沿って該縫合糸をより合わせるステップ；
該刃の動きと連係する刃の幾何学図形によって誘導され、且つ、該縫合糸のｘ−ｙ−ｚ軸に沿って三次元状態にある該縫合糸上において該刃に基づく切断動作を考慮に入れた、該刃の動きにより前記縫合糸上にあごを作り出すステップ；および
該あごを作り出すため該刃を動かし、前記切断動作を誘導する手段を提供するステップ
とからなる前記方法。
【請求項２】
該刃の幾何学図形により、該２本の軸に沿って該縫合糸上に切断動作が誘導され、かつ、該刃の動きにより残りの軸に沿って切断動作を誘導する請求項１に記載の方法。
【請求項３】
該ｙ−軸が該縫合糸の縦軸であり、該ｘ−軸が該縦軸に垂直であり、また、該ｚ−軸が該ｘ−軸と９０°の角度をなす請求項２に記載の方法。
【請求項４】
該刃の幾何学図形によりｙ−軸とｚ−軸に沿って切断動作が誘導され、且つ、その刃の動きによりｘ−軸に沿って切断動作が誘導される請求項３に記載の方法。
【請求項５】
更に、複数の刃を提供し、各々の刃により該縫合糸上にそれぞれのあごを作り出すステップを含む請求項４に記載の方法。
【請求項６】
該刃の幾何学図形により１本の軸に沿って該縫合糸上に切断動作が誘導され、且つ、該刃の動きにより残りの２本の軸に沿って切断動作が誘導される請求項１に記載の方法。
【請求項７】
該ｙ−軸が該縫合糸の縦軸であり、該ｘ−軸が該縦軸に垂直であり、また、該ｚ−軸が該ｘ−軸と９０°の角度をなす請求項６に記載の方法。
【請求項８】
該刃の幾何学図形によりｚ−軸に沿って切断動作が誘導され、且つ、その刃の動きによりｘ−軸とｙ−軸に沿って切断動作が誘導される請求項７に記載の方法。
【請求項９】
更に、複数の刃を提供し、刃のそれぞれにより該縫合糸上にそれぞれのあごを作り出すステップを含む請求項８に記載の方法。
【請求項１０】
該ｙ−軸が該縫合糸の縦軸であり、該ｘ−軸が該縦軸に垂直であり、また、該ｚ−軸が該ｘ−軸と９０°の角度をなす請求項１に記載の方法。
【請求項１１】
更に、縫合糸の切断を確実にするための確実手段を提供するステップを含む請求項１に記載の方法。
【請求項１２】
更に、切断の前又は後に前記縫合糸をその縦軸の周りに回転させるステップを含む請求項１に記載の方法。
【請求項１３】
更に、前記切断刃を接合するステップを含む請求項１に記載の方法。
【請求項１４】
更に、切断の前又は後に前記縫合糸をその縦軸に沿って進行させるステップを含む請求項１に記載の方法。
【請求項１５】
ｙ−軸は縫合糸の長さ方向軸であり、ｘ−軸は長さ方向軸に直角であり、ｚ−軸はｘ−軸に関して９０°であるｘ−ｙ−ｚ軸を有する縫合糸上に切ってあごを作る装置において、該装置は以下の要素からなる：
（１）縫合糸が切断の間、決まった場所に維持されている切断床；
（２）幾何学図形を有する多数の切断刃よりなる刃組立て；及び
（３）多数の位置において縫合糸のｘ−軸に沿って予じめ決められたやり方で上記刃組立てを動かす手段において、刃の動作と刃の幾何学図形が縫合糸上で多数のあごを生成する上記手段；ここで刃の幾何学図形は二つの軸に沿って縫合糸上で切断作用を誘導し、また刃の動作が残りの軸に沿って切断作用を誘導する。
【請求項１６】
ｙ−軸は縫合糸の長さ方向軸であり、ｘ−軸は長さ方向軸に直角であり、ｚ−軸はｘ−軸に関して９０°であるｘ−ｙ−ｚ軸を有する縫合糸上に切ってあごを作る装置において、該装置は以下の要素からなる：
（１）縫合糸が切断の間、決まった場所に維持されている切断床；
（２）切断する前にｙ−軸に沿って縫合糸をより合わせる手段；
（３）幾何学図形を有する多数の切断刃よりなる刃組立て；及び
（４）縫合糸のｘ−軸及びｙ−軸方向に予じめ決められたやり方で、多数の位置において上記刃組立てを動かす手段において、
刃の動作と刃の幾何学図形が縫合糸上で多数のあごを形成する、上記手段。
【請求項１７】
ｙ−軸は縫合糸の長さ方向軸であり、ｘ−軸は長さ方向軸に直角であり、ｚ−軸はｘ−軸に関して９０°であるｘ−ｙ−ｚ軸を有する縫合糸上で切ってあごを作る装置において、該装置は次の要素よりなる：
（１）縫合糸が切断の間、決まった場所に維持されている切断床；
（２）切断する前にｙ−軸に沿って縫合糸をより合わせる手段；
（３）多数の切断刃よりなる刃組立て；及び
（４）縫合糸のｘ，ｙ及びｚ軸方向に予じめ決められたやり方で、多数の位置において前記切断刃組立てを動かす手段。
【請求項１８】
ｙ−軸は縫合糸の長さ方向軸であり、ｘ−軸は長さ方向軸に直角であり、ｚ−軸はｘ−軸に関して９０°であるｘ−ｙ−ｚ軸を有する縫合糸上で切ってあごを作る装置において、該装置は次の要素よりなる：
（１）縫合糸が切断の間、決まった場所に維持されている切断床；
（２）切断する前にｙ−軸に沿って縫合糸をより合わせる手段；
（３）刃組立てを誘導して縫合糸を、予じめ決められた仕方で該刃組立てと接触させる手段；及び
（４）縫合糸のｘ軸に沿って予じめ決められた仕方で、多数の位置において切断刃を動かす手段であって、刃の動作と刃の幾何学図形とが縫合糸上に多数のあごを形成する、上記手段。
【請求項１９】
長さ方向軸を有する縫合糸上であごを切って作成する装置において、上記装置は次の要素よりなる：
（１）切断の間縫合糸が決まった場所に維持されている切断床：
（２）少なくとも一枚の刃；及び
（３）縫合糸を横切って予じめ決められた仕方で、上記少なくとも一枚の刃を動かす手段であって、上記少なくとも１枚の刃の動作又はその幾何学図形が縫合糸上で少なくとも１つのあごを作成する、上記手段。
【請求項２０】
更に、切断する前に縫合糸をその長さ軸方向に沿って、より合わせる手段を含む請求項１９記載の装置。
【請求項２１】
更に、切断の前又は後で縫合糸をその長さ方向軸の周囲を回転させる手段を含む請求項１９記載の装置。
【請求項２２】
更に、切断の前又は後で縫合糸をその長さ軸方向に沿って前進させる手段を含む請求項１９記載の装置。
【請求項２３】
前記少なくとも１枚の刃が接合刃である請求項１９記載の装置。
【請求項２４】
前記少なくとも１枚の刃が往復する刃である請求項１９記載の装置。
【請求項２５】
前記少なくとも１枚の刃が回転刃である請求項１９記載の装置。
【請求項２６】
前記少なくとも１枚の刃が中空の研磨した刃である請求項１９記載の装置。
【請求項２７】
前記少なくとも１枚の刃を動かす手段が切断工具よりなる請求項１９記載の装置。
【請求項２８】
前記少なくとも１枚の刃を動かす手段がソレノイドからなる請求項１９記載の装置。
【請求項２９】
前記ソレノイドが線状ソレノイドである請求項２８記載の装置。
【請求項３０】
前記ソレノイドが回転ソレノイドである請求項２８記載の装置。
【請求項３１】
前記切断床が回転ドラムである請求項１９記載の装置。
【請求項３２】
縫合糸上で切ってあごを作成する方法において、該方法は以下の工程よりなる：
長さ方向軸を有する縫合糸を提供する工程；
縫合糸をその長さ方向軸に沿ってより合わせる工程；及び
より合わされた状態にあるとき、縫合糸上で切ってあごを形成する工程；
よりなる上記方法。
【請求項３３】
より合わされた状態にあるとき、縫合糸上で多数のあごを切る工程を更に含む請求項３２記載の方法。
【請求項３４】
切断の前又は後で縫合糸をその長さ方向軸に沿って前進させる工程を更に含む請求項３２記載の方法。
【請求項３５】
前記確実手段が縫合糸と切断刃の間で比較的な回転を提供する請求項１１記載の方法。
【請求項３６】
長さ方向軸を有する縫合糸上であごを切断作成する方法において、該方法は次の工程よりなる：
縫合糸を提供する；
切断刃を提供する；
縫合糸のｘ−ｙ−ｚ軸に沿って、三次元方向に縫合糸上で刃による切断作用を考慮する刃の動作によって、縫合糸上であごを作り出す；及び
あごを作り出すため刃を動かして切断作用を引き起す手段を提供する；ここで刃の動作がｘ−ｙ−ｚ軸に沿って切断を引き起す。
【請求項３７】
複数の刃を提供し、その各々が縫合糸上にそれぞれのあごを作り出す工程を更に含む請求項３６記載の方法。
【請求項３８】
縫合糸を、切断前に、その長さ軸方向に沿ってより合わせる工程を更に含む請求項３６記載の方法。
【請求項３９】
切断後に縫合糸をより合わせる工程を更に含む請求項３６記載の方法。
【請求項４０】
ｙ−軸は縫合糸の長さ方向軸であり、ｘ−軸は長さ方向軸に直角であり、ｚ−軸はｘ−軸に関して９０°であるｘ−ｙ−ｚ軸を有する縫合糸上で切ってあごを作り出す装置であって、該装置は以下の要件よりなる：
（１）縫合糸が切断の間、決まった場所に維持されている切断床；
（２）幾何学図形を有する多数の切断刃よりなる刃組立て；及び
（３）縫合糸のｘ−軸及びｙ−軸方向に予じめ決められた仕方で多数の位置において上記刃組立てを動かす手段において、刃の動作及び刃の幾何学図形が縫合糸上に多数のあごを形成する上記手段；ここで刃の幾何学的図形が二つの軸に沿って縫合糸上で切断作用を引き起し、また刃の動作が残りの軸に沿って切断作用を引き起す。
【請求項４１】
ｙ−軸は縫合糸の長さ方向軸であり、ｘ−軸は長さ方向軸に直角であり、ｚ−軸はｘ−軸に関して９０°であるｘ−ｙ−ｚ軸を有する縫合糸上で切ってあごを作り出す装置であって、該装置は以下の要約よりなる：
（１）縫合糸が切断の間、決まった場所に維持されている切断床；
（２）多数の切断刃よりなる刃組立て；及び
（３）縫合糸のｘ，ｙ及びｚ軸方向に予じめ決められた仕方で多数の位置において上記切断刃組立てを動かす手段において、刃の動作が縫合糸上に多数のあごを形成する手段；ここで刃の幾何学図形が二つの軸に沿って縫合糸上に切断作用を引起し、また刃の動作が残りの軸に沿って切断作用を引き起す。
【請求項４２】
長さ方向軸を有する縫合糸上で切ってあごを作成する方法において、該方法は以下の工程よりなる：
（１）縫合糸を提供すること；
（２）切断刃を提供すること；
（３）縫合糸のｘ−ｙ−ｚ軸に沿って三次元において刃による切断作用を考慮する刃の動作によって縫合糸上にあごを作り出すこと、これは刃の幾何学図形と刃の動作との連携によって引き起される；及び
（４）あごを作り出すため刃を動かして切断作用を引き起す手段を提供すること；ここで刃の幾何学図形は二つの軸に沿って縫合糸上で切断作用を引き起し、また刃の動作は残りの軸に沿って切断作用を引き起す。
【請求項４３】
ｙ−軸は縫合糸の長さ方向軸であり、ｘ−軸は長さ方向軸に直角であり、ｚ−軸はｘ−軸に関して９０°の角度である、請求項４２記載の方法。
【請求項４４】
刃の幾何学図形がｙ−軸及びｚ−軸に沿って切断作用を引き起し、刃の動作がｘ−軸に沿って切断作用を引き起す請求項４３記載の方法。
【請求項４５】
多数の刃の各々がそれぞれのあごを作り出す請求項４４記載の方法。
【請求項４６】
切断する前にｙ−軸に沿って縫合糸をより合わせる工程を更に含む、請求項４５記載の方法。
【請求項４７】
縫合糸を確実に切るため確実手段を提供する工程を更に含み、ここで確実手段が縫合糸と切断刃との間で相対的回転を提供する、請求項４６記載の方法。